(57)【要約】【課題】手軽に利便性を有して衛生的に使用することができ、発声や表情筋等のトレーニングを効果的に行なうことができる発声トレーニング具を提供する。【解決手段】口に横向きに銜え左右の奥歯で噛挟みしながら発声トレーニングを可能とする噛厚と長さの噛み部２ａを有する噛み本体２に対し、該噛み部２ａより大径な外周の接地部１２を有する枕部３を噛み本体２の非噛み部２ｂとなる側端に設けることにより、上記枕部３の接地を介して噛み部２ａを床面Ａから離間させると共に、枕部３を発声トレーニング時に摘み把持する把持部にする。【選択図】図５
2015166803.tif 000002
【特許請求の範囲】
【請求項１】
口に横向きに銜え左右の奥歯で噛挟みしながら発声トレーニングを可能とする噛厚と長さの噛み部（２ａ）を有する噛み本体（２）に対し、該噛み部（２ａ）より大径な外周の接地部（１２）を有する枕部（３）を噛み本体（２）の非噛み部（２ｂ）となる側端に設けることにより、上記枕部（３）の接地を介して噛み部（２ａ）を床面（Ａ）から離間させると共に、枕部（３）を発声トレーニング時に摘み把持する把持部にすることを特徴とする発声トレーニング具。
【請求項２】
前記噛み本体（２）に、肉薄の噛み部（２ａ）と肉厚な厚噛み部（２c）を設けることを特徴とする請求１に記載の発声トレーニング具。
【請求項３】
前記噛み部（２ａ）に対し、厚噛み部（２c）を左右移動自在に設けることを特徴とする請求項２に記載の発声トレーニング具。
【請求項４】
前記噛み本体（２）の両側に、枕部（３）をスライド移動及び着脱自在に設けることを特徴とする請求項１又は２又は３に記載の発声トレーニング具。
【請求項５】
前記噛み部(２ａ)の左右方向中間部位に、トレーニング中に舌（Ｄ）を上下に動かすことができる空間部（２８ａ）を形成する舌動部（２８）を設ける請求項１又は２又は３又は４に記載の発声トレーニング具。
【請求項６】
前記噛み本体（２）の両側に、口に銜えた使用時に顔の口角部或いは頬等の外皮部（Ｃ）に接触させる顔接触部（７）を設ける請求項１又は２又は３又は４又は５に記載の発声トレーニング具。
【請求項７】
前記噛み本体（２）の両側に、該噛み本体（２）を口に噛挟み姿勢に支持する装着部材（１０）を設ける請求項１又は２又は３又は４又は５又は６に記載の発声トレーニング具。
【請求項８】
前記噛み本体（２）と枕部（３）と装着部材（１０）とを一体的に構成する請求項７に記載の発声トレーニング具。
【請求項９】
前記装着部材（１０）を、耳掛け部（１０ｅ）を有する左右のつる部（１０ｂ）を連結部（１０ｃ）又は上連結部（１０ｇ）によって連結し、左右のつる部（１０ｂ）の前部に口角部を耳方向に向けて引き上げるように接触する口角接触部（１０ｄ）を設けて構成し、該左右の口角接触部（１０ｄ）に噛み本体（２）の両側を着脱自在に取付ける請求項７又は８に記載の発声トレーニング具。
【請求項１０】
前記装着部材（１０）に、顔の正面又は側面の外皮部（Ｃ）に接当して指圧をする指圧突起 （３７）を設ける請求項７又は８又は９に記載の発声トレーニング具。
【請求項１１】
前記噛み本体（２）又は枕部（３）或いは装着部材（１０）に、発声トレーニングを音声によって助成する音声機器又は噛み本体（２）に振動を付与する振動発生器又は有益香を発生する芳香手段又は治療器等の補助機器（５）を設ける請求項１又は２又は３又は４又は５又は６又は７又は８又は９又は１０に記載の発声トレーニング具。
【請求項１２】
前記枕部（３）を、台所等で使用されるスプーンや掃除具或いは工具等のツール（２７）を兼用させて構成する請求項１又は２に記載の発声トレーニング具。
【発明の詳細な説明】
【技術分野】
【０００１】
本発明は、口に横向きに銜え噛挟みしながら発声トレーニング等を行なう発声トレーニング具に関する。
【背景技術】
【０００２】
従来、表声（地声）による音域を拡げるためのトレーニングに使用される発声トレーニング器具は、特許文献１に示されるものが既に公知である。この発声トレーニング器具は、肉厚が５〜２０ミリの範囲内の２つの噛挟部を延出部によって繋いで平面視Ｕ字状に構成することにより、２つの噛挟部の全体を口の中に挿入した状態で、両者を上下左右の奥歯で同時に噛むと共に、両延出部を唇の外に張り出し保持した状態で、表声の音域を拡げるように発声トレーニングをするものである。
また口腔内に滴形状の口腔体を入れた状態で発生練習をする発声練習具は、特許文献２に示されるものが既に公知である。
【０００３】
一方、テレビやインターネット並びに書籍等で紹介されている手軽な発声トレーニング具としては、口奥で横向きに銜える噛挟み具としての滑舌棒とそのトレーニング方法が、例えば非特許文献１に紹介されているように既に公知である。この滑舌棒は、直径１センチ程度の円柱状の木製棒を１４〜１５センチの長さに切ったものであり、これを奥歯で軽く噛んだ噛挟み状態で、例えば「ブラジル人のミラクルビラ配り」、「柿の木栗の木かきくけこ」など、種々のフレーズを繰返し声に出して唱えることが効果的であるとされている。また箸やナイフを滑舌棒として噛挟みをすると、口角を上げる笑顔トレーニングになること、このとき「あいうえお」等と発声練習を同時にすると、顔の口角筋等の表情筋を鍛えよい笑顔習慣を躾けながら、きれいな会話と笑顔の印象を与えることができビジネスや人間関係を良好に促進するとされている（非特許文献１中、平林都氏、福澤明氏提唱）。また脳科学的な知見からは、上記のような顔筋運動によって脳内血流を活性させる各トレーニングは、海馬への血流増加を促すため記憶活性及び認知症予防にも効果があると言われている。
【先行技術文献】
【特許文献】
【０００４】
【特許文献１】特開平１０−２９３５２８号公報
【特許文献２】実開昭６２−８１９７５号公報
【非特許文献】
【０００５】
【非特許文献１】書籍「賢人の話し方」（株式会社幻冬舎発行）の、ページ１２４，１２５、ページ１４６，１４７
【発明の概要】
【発明が解決しようとする課題】
【０００６】
上記特許文献１に示される発声トレーニング器具は、Ｕ字形状の両端に形成される噛挟部を口中に入れ奥歯で噛んで表声の音域を拡げるトレーニングをする滑舌棒として勝れている。然しながら、この滑舌棒は平面視Ｕ字形状であること及び側面視で平坦状であるため、トレーニング中に銜えた滑舌棒を所用や都合等によって一時的に口から取出し、机上や洗面台等の使用場所で近隣の置台（以下床面と言う）に置いたのち再び口に銜えてトレーニングを再開する場合に、滑舌棒は唾液で濡れている噛み部が床面に接触して汚れ不潔感を伴う状態になっているため、トレーニングを中断し洗浄をしたのち再使用をするか、別の滑舌棒を準備して再トレーニングを継続しなければならない等の欠点がある。
【０００７】
さらに、特許文献１の滑舌棒はＵ字形状の延出部が唇を開いて前方に突出するものであり、また特許文献２の発声練習具もカバーや突出体が口腔内から前方に突出するものであるため、上記トレーニングを例えば、読書や机上での勉強をするとき、及び散歩やジョギング等の各種の運動並びに作業を行ないながら使用するとき、口前方に突出する突出部分が視界内に入ることから邪魔になること、唇を開いて延出部が前方に突出した姿になるので、呼吸する上での不具合や見栄えが悪い等の欠点を伴う課題がある。
【０００８】
一方、非特許文献１で紹介されている真直な滑舌棒は、横向き（左右方向）に銜えてその両端を口奥側の口角部から一部突出させて使用するため、唇を閉じることや会話をすることも可能であるため、各種の運動や作業をしながら使用することができると共に、見栄えを大きく損なわないと共に各種の呼吸法も併せて行うことができる等の利点がある。然しながら、単に円柱状の木製棒等からなる滑舌棒は、前記したようにトレーニングを一時的に中断し床面に置いたのち再び口に銜えて使用をするとき、床面と接触した噛み部が汚れて不潔になる欠点がある。また製造時に消毒剤を用いた割り箸を銜える場合には、その消毒剤の残留が懸念されるため、これの回避にラップを巻いて使用する等の煩雑さもある。
【０００９】
また非特許文献１のように、単にストレートな滑舌棒は、端部を誤って口内に突き差したり身体に突き当てたりする等の取扱い上の安全性が危惧されるものであると共に、床面上で転がり移動し易いこと、及び把持部が特定されていないため摘み上げをし難いものであり、不慮に噛み部を把持する等の不潔さもある。またトレーニング後に滑舌棒を洗浄し乾燥させる際には、皿等の置き台を必要とするため手入れに煩雑さを伴う欠点がある。
【００１０】
さらに、ストレートな滑舌棒は、その厚さ（太さ）に限定された噛挟みによる１種類の発声トレーニングしかできないため、噛厚を異ならせた薄噛みトレーニングと厚噛みトレーニングをしたい場合に、肉薄の滑舌棒と肉厚な滑舌棒を複数準備しなければならない欠点もある。
そこで本発明は、手軽に利便性を有して衛生的に使用することができ、発声や表情筋等のトレーニングを楽しく継続させることができる発声トレーニング具（噛挟み具）を提供することを目的とする。
【課題を解決するための手段】
【００１１】
上記課題を解決するため本発明の発声トレーニング具は、第１に、口に横向きに銜え左右の奥歯で噛挟みしながら発声トレーニングを可能とする噛厚と長さの噛み部２ａを有する噛み本体２に対し、該噛み部２ａより大径な外周の接地部１２を有する枕部３を噛み本体２の非噛み部２ｂとなる側端に設けることにより、上記枕部３の接地を介して噛み部２ａを床面Ａから離間させると共に、枕部３を発声トレーニング時に摘み把持する把持部にすることを特徴としている。
【００１２】
第２に、前記噛み本体２に、肉薄の噛み部２ａと肉厚な厚噛み部２ｃを設けることを特徴としている。
【００１３】
第３に、前記噛み部２ａに対し、厚噛み部２ｃを左右移動自在に設けることを特徴としている。
【００１４】
第４に、前記噛み本体２の両側に、枕部３をスライド移動及び着脱自在に設けることを特徴としている。
【００１５】
第５に、前記噛み部２ａの左右方向中間部位に、トレーニング中に舌Ｄを上下に動かすことができる空間部２８ａを形成する舌動部２８を設けることを特徴としている。
【００１６】
第６に、前記噛み本体２の両側に、口に銜えた使用時に顔の口角部或いは頬等の外皮部Ｃに接触させる顔接触部７を設けることを特徴としている。
【００１７】
第７に、前記噛み本体２の両側に、該噛み本体２を口に噛挟み姿勢に支持する装着部材１０を設けることを特徴としている。
【００１８】
第８に、前記噛み本体２と枕部３と装着部材１０とを一体的に構成することを特徴としている。
【００１９】
第９に、前記装着部材１０を、耳掛け部１０ｅを有する左右のつる部１０ｂを連結部１０ｃ又は上連結部１０ｇによって連結し、左右のつる部１０ｂの前部に口角部を耳方向に向けて引き上げるように接触する口角接触部１０ｄを設けて構成し、該左右の口角接触部１０ｄに噛み本体２の両側を着脱自在に取付けることを特徴としている。
【００２０】
第１０に、前記装着部材１０に、顔の正面又は側面の外皮部Ｃに接当して指圧をする指圧突起３７を設けることを特徴としている。
【００２１】
第１１に、前記噛み本体２又は枕部３或いは装着部材１０に、発声トレーニングを音声によって助成する音声機器又は噛み本体２に振動を付与する振動発生器又は有益香を発生する芳香手段又は治療器等の補助機器５を設けることを特徴としている。
【００２２】
第１２に、前記枕部３を、台所等で使用されるスプーンや掃除具或いは工具等のツール２７を兼用させて構成することを特徴としている。
【発明の効果】
【００２３】
請求項１の発明によれば、口に横向きに銜え左右の奥歯で噛挟みしながら発声トレーニングを可能とする噛厚と長さの噛み部を有する噛み本体に対し、該噛み部より大径な外周の接地部を有する枕部を噛み本体の非噛み部となる側端に設けることにより、上記枕部の接地を介して噛み部を床面から離間させると共に、枕部を発声トレーニング時に摘み把持する把持部にすることにより、発声トレーニング具は、トレーニングを一時的に中断し口から取出す場合に、床面に無造作的に置いても枕部が床面に接地して唾液で濡れた噛み部を床面から離間させるため、噛み本体を洗浄したり別のものと取り替える必要がなく、且つ把持部を兼用する枕部を摘まんで噛み本体を速やかに銜えることができるので、衛生的なトレーニングを継続し易くすることができる。また枕部は転動を規制する所望の断面形状にすることにより、噛み本体の形状を変更することなく発声トレーニング具の転動を防止することができると共に、噛み本体の端部を口内に入り難くする等の安全上の利点も創出する等の特徴がある。
【００２４】
請求項２の発明によれば、前記噛み本体に、肉薄の噛み部と肉厚な厚噛み部を設けることにより、口の大きさに対応した噛み部を選択して使用することができると共に、厚さの異なる噛み部を交互に噛挟みする薄噛みトレーニングと厚噛みトレーニング等の多様なトレーニングを１つの発声トレーニング具によって簡単に行うことができる。
【００２５】
請求項３の発明によれば、前記噛み本体に、噛み部に対し、厚噛み部を左右移動自在に設けることにより、１つの発声トレーニング具によって、噛み部を噛挟みして行う薄噛みトレーニングと、該トレーニング位置に移動させた厚噛み部を噛挟みして行う厚噛みトレーニングとを簡単に行うことができる。
【００２６】
請求項４の発明によれば、前記噛み本体の両側に、枕部をスライド移動及び着脱自在に設けることにより、噛み本体と枕部とを分割自在にすることができるので、トレーニング用途に対応した個別の部品製作を簡単安価に製作することができると共に、両者を分解して洗浄することができるので、発声トレーニング具を衛生的に使用管理することができる。また枕部を使用者の好みに合わせ摘み易い位置に調節して発声トレーニングを行い易くすることができる。また枕部に厚噛み部を簡単に設けることもできるため、薄噛みトレーニング用の噛み本体に枕部と厚噛み部を介して厚噛みトレーニングを行い易くすることができる。
【００２７】
請求項５の発明によれば、前記噛み部の左右方向中間部位に、トレーニング中に舌を上下に動かすことができる空間部を形成する舌動部を設けることにより、噛み部を噛挟みした状態でその左右方向中間部位の空間部を介して舌を自由に動かすことができるので、舌運動による滑舌トレーニングをスムーズにすると共に、口筋を鍛えることができる。
【００２８】
請求項６の発明によれば、前記噛み本体の両側に、口に銜えた使用時に顔の口角部或いは頬等の外皮部に接触させる顔接触部を設けることにより、発声トレーニングを行うとき、口角部等の外皮部に顔接触部を接触させて接触刺激や押圧刺激を付与することができるので、顔表情のトレーニングを意識的に行うことができると共に、口角を上げるトレーニングや呼吸法等を意識的に行うことを促進することができる。
【００２９】
請求項７の発明によれば、前記噛み本体の両側に、該噛み本体を口に噛挟み姿勢に支持する装着部材を設けることにより、噛み本体を噛挟みした状態の発声トレーニング具を、装着部材介し口に装着保持することができると共に、トレーニング時に噛み本体の口前側への移動を規制することができ、噛み位置や口角部の接触位置を適正に保持しトレーニングを行い易くすることができる。これにより発声等のトレーニングと勉強等の別作業を併行しながらトレーニング等を効果的に行うことができる。
【００３０】
請求項８の発明によれば、前記噛み本体と枕部と装着部材とを一体的に構成することにより、噛み本体を噛挟みした状態で装着部材を介し頭部や顔に簡単に装着することができ、トレーニング時に噛み本体の口前側への移動を規制し、顔の動きや口の動きに対して噛み部の噛み位置や口角部の接触位置を適正に保持してトレーニングを行い易くすることができる。また発声トレーニング具を、針金部材や合成樹脂材等によって簡単且つ安価に作ることができる。
【００３１】
請求項９の発明によれば、前記装着部材を、耳掛け部を有する左右のつる部を連結部又は上連結部によって連結し、左右のつる部の前部に口角部を耳方向に向けて引き上げるように接触する口角接触部を設けて構成し、該左右の口角接触部に噛み本体の両側を着脱自在に取付けることにより、噛み本体を取外した装着部材は、上方から頭部に嵌める動作によって左右の耳掛け部を左右の耳に掛けることができ、この状態で前記左右の取付部が口角接触部となり左右の口角を耳方向に向けて引き上げるように接触し、笑顔状の口元にする笑顔トレーニングをすることができる。また口角接触部は噛み本体を取付ける取付部になるので、装着部材に噛み本体を取付けて行う発声トレーニングを速やかに行うことができる。
【００３２】
請求項１０の発明によれば、前記装着部材に、顔の正面又は側面の外皮部に接当して指圧をする指圧突起を設けることにより、発声トレーニング具を顔に装着したとき、装着部材は噛み本体の噛挟み姿勢を保持すると共に、指圧突起が顔のツボ指圧を行なうため、両者を同時に効果的に行うことができる。また装着部材は噛み本体を外したとき、ツボ指圧を所望に行なう単体の顔指圧器具として有効利用することができる。
【００３３】
請求項１１の発明によれば、前記噛み本体又は枕部或いは装着部材に、発声トレーニングを音声によって助成する音声機器又は噛み本体に振動を付与する振動発生器又は有益香を発生する芳香手段又は治療器等の補助機器を設けることにより、発声トレーニング具のトレーニング目的と同時に、補助機器による目的効果を同時に得ることができる。また発声トレーニング具の使用及び発声トレーニング等を継続し易くすることができる。
【００３４】
請求項１２の発明によれば、前記枕部を、台所等で使用されるスプーンや掃除具或いは工具等のツールを兼用させて構成することにより、発声トレーニング具を台所等の日常作業場所で速やかに使用することができ、トレーニング習慣を持続させ易くすると共に、非トレーニング時には他用途のツール利用を可能にし発声トレーニング具の利便性を高めることができる。
【図面の簡単な説明】
【００３５】
【図１】本発明の第１実施形態に係る発声トレーニング具を示し、図（ａ）は発声トレーニング具の全体構成を示す正面図である。図（ｂ）は図（ａ）のａーａ線断面図である。図（ｃ）は図（ａ）のｂーｂ線断面図である。図（ｄ）は図（ａ）のｃーｃ線位置における顔接触部を示す側面図である。図（ｅ）は図（ａ）の別使用態様を示す正面図である。
【図２】本発明の第２実施形態に係る発声トレーニング具を示し、図（ａ）は発声トレーニング具の全体構成を示す正面図である。図（ｂ）は図（ａ）のａーａ線断面図である。図（ｃ）は図（ａ）のｂーｂ線断面図である。図（ｄ）は枕部の構造を示す側面図である。図（ｅ）は図（ａ）の別使用態様を示す平面図である。
【図３】本発明の第３実施形態に係る発声トレーニング具を示し、図（ａ）は発声トレーニング具の全体構成を示す正断面図である。図（ｂ）は図（ａ）の発声トレーニング具に顔接触部を設けて使用する別使用態様を示す正面図である。図（ｃ）は図（ｂ）の別実施形態を示す要部の正断面図である。
【図４】本発明の第４実施形態に係る発声トレーニング具を示し、図（ａ）は発声トレーニング具の全体構成を示す斜視図である。図（ｂ）は図（ａ）のａーａ線断面図である。図（ｃ）は図（ａ）の正面図である。図（ｄ）は第４実施形態の別の実施形態に係る発声トレーニング具の使用態様を示す正面図である。
【図５】本発明の第５実施形態に係る発声トレーニング具を示す正面図である。
【図６】本発明の第６実施形態に係る発声トレーニング具を示し、図（ａ）は発声トレーニング具の全体構成を示す正面図である。図（ｂ）は図（ａ）の側面図である。図（ｃ）は図（ａ）のａーａ線断面図である。
【図７】本発明の第７実施形態に係る発声トレーニング具を示し、図（ａ）は発声トレーニング具の全体構成を示す平面図である。図（ｂ）は図（ａ）の正面図である。図（ｃ）は第７実施形態に係る別実施態様を示す発声トレーニング具の正面図である。
【図８】本発明の第８実施形態に係る発声トレーニング具を示す斜視図である。
【図９】本発明の第９実施形態に係る発声トレーニング具を示す分解斜視図である。
【図１０】本発明の第１０実施形態に係る発声トレーニング具を示す分解斜視図である。
【図１１】本発明の第１１実施形態に係る発声トレーニング具を示し、図（ａ）は発声トレーニング具の分解斜視図である。図（ｂ）は図（ａ）の装着手段の構成を示す断面図である。
【発明を実施するための形態】
【００３６】
以下図面に基づいて本発明に係る発声トレーニング具（噛挟み具）１の各実施の形態について説明する。先ず、図１に示す第１実施形態の発声トレーニング具１は、口に横向きに銜えた状態で上下左右の奥歯側で噛挟みをする噛み部２ａと、該噛み部２ａの両側端に形成される非噛み部２ｂとからなる棒状の噛み本体２と、該噛み本体２の非噛み部２ｂに噛み部２ａより大径（肉厚）な外周面からなる接地部（接地面）３ａを有し噛み本体２の噛み部２ａを床面Ａから離間させる枕部３とからなる。上記噛み本体２及び枕部３は、合成樹脂材、金属、木竹材等の素材によって所望に製作することができる。
【００３７】
図示例の噛み本体２は、弾性力を有して上下方向に撓むことができる平板状部材（平板棒）としており、噛み部２ａの厚さ（高さ）を３〜５ミリ程度、前後方向の幅を７〜１５ミリ程度、左右の全長を１３０〜２００ミリ程度にしている。また噛み部２ａの表面には図示しない目盛を付設している。枕部３は、側面視で６角形状の異形断面とし外周に床面Ａと平面的に接触して転動を規制する接地部３ａを形成し、対向する接地部３ａ間の厚さ（直径）を２０〜２５ミリ程度にしている。実施形態の枕部３は、接地部１２から略円形断面又は６角形状を有して内向きに集束する厚噛み部２ｃを一体的に形成しており、その略中央部に噛み本体２と同じ断面形状の取付孔３ｂを形成している。
【００３８】
これにより噛み本体２に対し、左右で対をなす枕部３を互いの厚噛み部２ｃを内向きにして、取付孔３ｂを介して両端からスライド自在に挿入することにより発声トレーニング具１を構成するようにしている。また厚噛み部２ｃは、内向きに集束する集束端の正面視での厚さは５〜７ミリ程度とし、且つ平面視での厚さ（前後方向の幅）は７〜２０ミリ程度にすることが望ましい。尚、枕部３及び厚噛み部２cは、噛み本体２の両側に対しネジ嵌合させた螺合手段によって、着脱及び左右移動自在に取付けてもよい。
【００３９】
上記のように構成した発声トレーニング具１は、噛み本体２の両側に厚噛み部２ｃを有する枕部３を左右方向（長手方向）に移動（スライド）調節自在に取付けているため、図１（ａ）に示すように、左右の枕部３を噛み本体２の両端側に位置させたとき、２点鎖線で示す上下の歯列Ｂの奥歯によって噛み本体２の最薄の噛み部２ａを銜えて噛挟みをすることができる。
また図１（ｅ）に示すように、左右の枕部３を噛み本体２の内側所望位置に位置させたとき、上下の歯列Ｂの左右の奥歯によって枕部３側の厚噛み部２ｃの所望位置を銜えて等しく噛挟みをすることができる。
【００４０】
即ち、この発声トレーニング具１は、最薄厚の噛み本体２を銜えた薄厚噛み姿勢によるトレーニング（以下薄噛みトレーニングと言う）と、厚噛み部２ｃの正面視での厚さを銜えた厚噛み姿勢によるトレーニング（以下厚噛みトレーニングと言う）とを選択して自在に行うことができる。従って、この発声トレーニング具１によれば、左右の厚噛み部２ｃの位置を選択するだけで、大人から子供等の大きさの異なる口に適応させた噛厚を選択することができるので、発声トレーニングを無理なく適正に行なうことができる。
【００４１】
また発声トレーニング具１は、噛み本体２の厚さを３〜５ミリ程度にし、枕部３と一体の噛み部２ａの正面視での厚さを、７ミリ程度から２０ミリ程度に向けて順次経大となる楕円形状斜面で形成する場合に、使用者は３〜７ミリ程度の噛厚による薄噛みトレーニングと、厚噛み部２ｃをさらに内側移動させて１０〜２０ミリ程度の厚噛みトレーニングを簡単に行うことができる。さらに、この発声トレーニング具１は噛み本体２の噛挟み姿勢を９０度回した縦向き姿勢にすることにより、噛み部２ａ及び厚噛み部２ｃの正面視での厚さより大きい平面視での厚さ（前後方向の幅）を、図１（ｂ）に矢印で示す方向に銜えて噛挟みすることができるので、より大きな厚噛みトレーニングを容易に行なうことができる等の特徴がある。
【００４２】
次に、上記発声トレーニング具１に、発声トレーニング等の使用を助成する各種の補助機器５を付設する付設手段並びに各種備品を設けてトレーニング等を行なう手段について説明する。即ち、この発声トレーニング具１は、上記補助機器５或いは各種備品を設けることができる収納穴６を、枕部３の本体内に一側から内奥に向けて形成している。尚、収納穴６には必要により蓋を設けることができる。上記補助機器５は、発声トレーニングを音声によって案内する音声発生機器及びトレーニング記録をする録音器、並びに噛み本体２に振動を付与する振動発生器、或いは有益香を発生する芳香手段等であることが望ましい。尚、上記音声発生機器等はバッテリ及びその作動スイッチ等の必要作動手段を備えている。また有益香は、治療や免疫性を高めるほかリフレッシュ性に効果のある芳香剤であることが望ましい。この芳香剤は、枕部３の本体内に設置することが望ましいが、必要により噛み本体２や厚噛み部２ｃ内に設置してもよい。
【００４３】
さらに、図示例の発声トレーニング具１は、口に銜えた使用時に必要により顔の口角や頬等に接触させて接触刺激を付与したり顔表情のトレーニング等に使用する顔接触部７を、着脱及び取付け位置調節自在に設けている。実施形態の顔接触部７は図１（ａ），（ｄ）に示すように、弾性力を有する板状の本体部に、厚噛み部２ｃ或いは噛み部２ａに左右移動自在に挿入支持させる取付孔７ａを設け、外周側に顔の外皮部Ｃに面的又は点的に接当させる接当部７ｂを形成した構成にしている。これにより顔接触部７は、左右の枕部３の厚噛み部２ｃに挿入した状態で噛み本体２の両側に配置することができ、且つここから図１（ｅ）に示すように左右の枕部３を内側に移動させることにより、左右の顔接触部７を顔の口角部周りの外皮部Ｃに接当させて顔表情トレーニング等を行うことができる。また図示例の枕部３は、２点鎖線で示すように反転させることにより、該枕部３の端部を顔接触部７として兼用し外皮部Ｃに接触させることができる。
【００４４】
また顔接触部７の接当部７ｂは、その本体部の外周に図１（ｄ）に実線で示す円弧状面又は２点鎖線で示す凹凸面にすることができる。さらに接当部７ｂは上方に向けて２点鎖線で示すように大きく伸ばすことにより、その先端部を鼻の両側やほうれい線に接当させることができる。これにより顔接触部７は、外皮部Ｃの接当部に接触刺激や押圧刺激を付与するので、使用者はその刺激により口角を上げる意識や呼吸法を行う意識を持続させ易くすることができる。また笑顔習慣の促進や口元の皺の解消効果等も期待する意識を継続させて楽しみながら使用することができる。尚、顔接触部７は、発声トレーニング具１を口に銜えた状態で噛み位置を定め、発声トレーニングに併せて適正接触位置を定めて使用することができるので、両者の効果を同時に奏することができる利点があると共に、顔接触部７は発声をしないときでも外皮部Ｃに接触させることができるため、笑顔を意識させた顔表情トレーニング等を単独に行うことができる。
【００４５】
また発声トレーニング具１は、口に銜えた使用姿勢を保持し易くする装着手段８を設けている。図示例の装着手段８は図１（ａ）に示すように、噛み本体２の両端に穿設した取付孔９を利用して取付けた紐又はつる等の装着部材１０を耳又は頭部に着脱自在に固定するほか、図１（ｅ）に示すようにメガネのつると同態様の装着部材１０を、噛み本体２の両端に挿入して取付けて耳に引っ掛け保持する等の任意な装着態様にすることができる。これにより装着部材１０は、トレーニング中に発声トレーニング具１の噛挟みを一時的に解除した場合でも口前側への位置ズレを規制し再噛挟みをスムーズにすることができる。またこの際に使用する顔接触部７は、その所定形状の接当部を外皮部Ｃに適正圧によって常時接当させることができる等の特徴がある。尚、噛み本体２は、図８で後述するような舌動部２８を形成してもよいものである。
【００４６】
以上のように構成される発声トレーニング具１は、肉薄の噛み本体２を銜えて行う薄噛みトレーニングと、肉厚の厚噛み部２ｃを銜えて行う厚噛みトレーニングとの両トレーニングを簡単に行うようにしているため、種々の発声を行う広範囲な発音トレーニング並びに、音声を発することなく口角を上げたり単に唇を動かしたりする表情筋トレーニング（以下単に顔筋トレーニングと言う）等の各種トレーニングを多様に行うことができる。
【００４７】
即ち、上記薄噛みトレーニングでは、肉薄の噛み部２ａを奥歯で軽く噛み保持することができるので、顎及び唇に大きな負荷をかけることなく上下の唇を閉じ易くする薄噛み姿勢において、前歯と唇による薄噛み姿勢特有の発声トレーニング並びに会話トレーニングを長時間にわたり楽に行うことができる。また薄噛みトレーニングでは、顔を下向きにして行う勉強時やパソコン使用時にも使用することができると共に、ジョギングやダンス練習等の各種運動時にも同時使用を容易にして相乗効果を高めることができる。また厚噛みトレーニングでは、在来の直径１０ミリ程度の丸棒状滑舌棒と同様に奥歯で噛んだ厚噛み姿勢特有の唇と呼吸法を主とする発声法により、前記したような種々のフレーズ等を繰返し声に出して唱える発声トレーニングを行うことができ、また口角を上げて顔の表情に笑顔習慣をつけるトレーニング等を促進することができる。
【００４８】
また上記のように多様なトレーニングをすることができる発声トレーニング具１は、装着部材１０を用いて噛み本体２の噛挟み姿勢を適正に保持することができるので、勉強や運動時はもとより入浴やトイレ時にも、また自動車等の運転時にも好適に使用することができる。特に、薄噛みトレーニングから厚噛みトレーニングに切換えて使用するとき、発声トレーニング具１は大きく口を開け閉めする噛み刺激や口角を上げる刺激によって覚醒作用を付与するので、勉強や運転時の眠気防止も効果的に行うことができる等の利点がある。
【００４９】
そして、上記のように多様なトレーニングに使用することができる発声トレーニング具１は、噛み本体２の側端に枕部３を設けていることにより、１つの発声トレーニング具１を用いながら長時間にわたり衛生的に使用することができる。即ち、この発声トレーニング具１は、非使用時はもとよりトレーニングを一時的に中断し口から取出したとき、使用場所近隣の床面Ａに無造作的に置くことができる。この場合に発声トレーニング具１は、左右の枕部３が床面Ａに接当して噛み部２ａ，２ｃを床面Ａから離間させるため、従来の滑舌棒のように唾液で濡れた噛み部を床面Ａとの接触によって汚すことなく仮置きできる。従って、短時間のトレーニング中断のために噛み本体２を洗浄したり別の滑舌棒と取り替える必要がなく、清潔が保持されている発声トレーニング具１を、枕部３を摘まんでそのまま銜えて速やかにトレーニングを再開し継続することができる。また噛み本体２を口奥に強く押圧して行なう発声トレーニングを、枕部３を持って安定的に姿勢保持し易くすることができる等の特徴がある。
【００５０】
このとき異形断面によって形成される接地部３ａを有する枕部３は、接地部３ａが床面Ａに安定的に接触して転動を規制するので、発声トレーニング具１が床面Ａを転がって落下する等の事態を防止し衛生的な使用を助成する。また発声トレーニング具１を長時間保管するときは、噛み本体２を二股フック状の収納具（図示せず）に縦向きに挿入するだけで、枕部３が収納具のフックに係合して落下を防止するため、簡単且つ衛生的な縦向き保管をすることができる等の特徴もある。尚、枕部３は図示例の異形断面に限ることなく、後述する形状のほか例えば円形断面をなす外周面に適宜形状の突起を設けて転動を規制するようにしてもよいものでる。
【００５１】
また上記枕部３は、噛み本体２の外側寄りで摘み易い位置を特定して把持部を兼用するようにしているため、噛み部２ａ等を誤って把持することなく誤把持を防止し枕部３を摘まんだ状態で、噛み本体２を口の適正位置への噛挟み及び取出しを容易且つ衛生的に能率よく行うことができる。また枕部３は噛み本体２の端部の露出を抑制するので、身体への突き差し等も解消した使用を容易にすることができる。さらに噛み本体２の両端側に設ける径大な枕部３は非円形の異形断面を意匠性を考慮した任意形状によって形成することができるので、床面Ａでの転動を防止すると共に、デザイン性及び使用性に勝れた発声トレーニング具１を創出することができる。従って、上記のように構成される発声トレーニング具１は、誰でも何処でも衛生的に使用し易く且つ使用機能を融合させたデザインを可能にするので、発声トレーニング等に飽きをこさせ難い効果的な使用を促進する等の特徴もある。
【００５２】
尚、図示例の発声トレーニング具１は、厚噛み部２ｃを斜面によって形成しているが、図１（ｅ）中２点鎖線で示すように厚噛み部２ｃは、小径（小厚），中径（中厚），大径（大厚）と階段状に形成してもよい。また枕部３側の厚噛み部２ｃは、図１（ｂ）に示すように楕円形状の異形断面にしているため、幅（長径方向幅）は上記厚さ（短径方向幅）より大きくなる。これにより発声トレーニング具１は、銜える向きを９０度回転変更することにより、長径方向を図１（ｂ）の矢印で示す方向に噛挟みする厚噛みトレーニングを簡単に行うことができる等の特徴がある。尚、左右の枕部３は、前記噛み本体２に表記される目盛の中心（ゼロ点）を基準に左右に等距離に置くことにより、適正な噛み間隔調節を容易にすることができる。
【００５３】
次に、図２〜図１０を参照し本発明に係る他の実施の形態について説明する。尚、上記第１実施形態のものと同様な構成及び作用については同一符号を付し説明を省略する。先ず、図２に示す第２実施形態の発声トレーニング具１について説明する。この発声トレーニング具１は、肉薄の噛み部２ａを有する噛み本体２の両側に、対をなす肉厚な厚噛み部２ｃを、第１実施形態のものと同様に着脱及び左右移動自在に設けて使用できるようにしている。図示例の発声トレーニング具１は、それぞれ所定の噛み長さと厚さを有して個別に製作した、中厚の厚噛み部２ｃを内側にし、その外側に枕部３を有する大厚の厚噛み部２ｃを隣接させて配置している。そして、両者は着脱及び移動自在に設けることによりその選択使用を自由に行なうようにしている。また両者は共に前記第１実施形態のものと同様に、前後方向の幅（平面視での厚さ）による噛厚を噛み本体２の上下方向の噛厚より大きくしている。
【００５４】
また噛み本体２は、図２（ａ）で示す真直姿勢から図２（ｅ）で示す平面視コ字状又はＵ字状の曲げ姿勢に変更復帰自在な可撓性を有する構成にしている。これにより噛み本体２は図２（ｅ）で示すように曲げ姿勢にして、厚噛み部２ｃを前後方向姿勢にすることができる。これにより発声トレーニング具１は、左右の厚噛み部２ｃを奥歯で噛挟んだ状態で非噛み部２ａを口の前側に突出させる前出しトレーニング姿勢にするようにしている。従って、第１実施形態で既述した態様と異なる多様な発声トレーニングをすることができる。また曲げ姿勢にした噛み本体２は、上下の唇で挟むことができる２点鎖線で示すように唇挟み部材１１を、両端部に取付部材１２を介して口の中央前部に着脱自在に設けることができる。この場合には発声トレーニングに併せて、唇挟み部材１１を唇で挟んで行なう新規な発声トレーニングと、種々の呼吸法を目的としたトレーニングを試しながら楽しく行うことを可能にしている。
【００５５】
即ち、図示例の発声トレーニング具１は、厚噛み部２ｃを奥歯で噛んだ状態で唇で唇挟み部材１１を強弱自在に挟みながら発声をするトレーニングを同時に行なうことができるため、トレーニング時に口や唇の形を整えることに意識を集中させた発声トレーニングと、口筋（口輪筋等）も鍛えて滑舌及び口元の締り並びに笑顔や呼吸等の改善促進を効果的に行うことができる。また唇挟み部材１１は、薄い平板或いは波板にすることができるほか、ビードや笛等の吹鳴構造を備えた構成にすることができる。この場合には息によって生ずる音声を聞きながら、上記トレーニングをより効果的に行うことができる。尚、噛み本体２に対する唇挟み部材１１の取付けは、その基部を後述する図５，図６で示すものと同様な手段によって噛み本体２の中央部に着脱自在に設けてもよい。
【００５６】
さらに、図２（ａ），（ｃ）に示すように、噛み本体２の中央部には駒状突起を形成する戻し突起１３を設けてもよい。この場合には噛み本体２を太い形状の戻し突起１３を利用し舌によって矢印方向に移動させ易くするので、トレーニング時に口前側に移動しようとする発声トレーニング具１を口奥側の適正噛み位置に戻しながら、所期のトレーニングを速やかに継続することができる。また戻し突起１３は図２（ｃ）に示すように、可撓性と弾性力を有するパイプ状部材としてその一部にスリット１３ａを設けた構成にすると、該スリット１３ａを弾性力に抗し開閉させて噛み本体２への着脱を簡単に行うことができる。
【００５７】
また図示例の噛み本体２は、弾性力及び可撓性を有する楕円形状断面の合成樹脂製パイプによって構成している。これにより噛み本体２は、噛挟みをするときその弾性力に抗して変形しながら歯への噛み衝撃を緩衝する。尚、噛み本体２は中空の内部に、例えば枕部３内に設置される前記補助機器５の作動をＯＮ，ＯＦＦさせる接点型のスイッチ或いはセンサ等からなる作動手段１５を簡単に設けることができる。これにより作動手段１５は、噛み時の状態変化に基づき補助機器５の作動と停止を自動的に行うことができる。尚、補助機器５は図示しないメインスイッチを備えている。
【００５８】
次に、図３に示す本発明の第３実施形態に係る発声トレーニング具１について説明する。この発声トレーニング具１は、噛み本体２を弾性力及び可撓性を有する略円形状断面の合成樹脂製パイプにすることにより、噛挟みをするとき噛み本体２は弾性力に抗して変形しながら歯への噛み衝撃を緩衝するようにしている。また噛み本体２より大径に形成される枕部３は、噛み本体２内に左右方向にスライド移動自在に挿入されて噛厚を調節する噛厚調節部材１６を支持杆１７を介して突設している。この噛厚調節部材１６は基部側から先端部に向けて集束する錐形斜面で形成している。
【００５９】
上記のように構成される発声トレーニング具１は、枕部３を左右に押し引き操作して噛厚調節部材１６を実線位置にするとき、噛み本体２は噛み圧によって弾性力に抗し錐形斜面で規制される２点鎖線で示す噛み姿勢まで変形して薄厚になるため、薄噛みトレーニングをすることができる。また噛厚調節部材１６を上記実線位置から内側に移動させると、噛み本体２の変形を少なくして厚噛みトレーニングをすることができる。従って、この発声トレーニング具１は、１つの噛み本体２を大径な厚噛み状態と小径な薄噛み状態とに切換自在にすることができるので、子供から大人の口の大きさに対応した使用、並びに薄噛みトレーニングと厚噛みトレーニングを簡単に行うことができる。また噛み本体２は、シリコーン系の柔かい素材によって形成することが望ましく、この場合には噛み本体２を何度か軽く噛むことによって顎を鍛えるチューイングトレーニングも行い易くすることができる。
【００６０】
さらに、この発声トレーニング具１は図３（ｂ）に示すように、噛み本体２の両側に筒状の支持部材１８を左右移動自在に嵌挿し、該支持部材１８に顔接触部７をスライド自在及び反転挿入自在にすることができる。図示例の顔接触部７は、所定間隔を有する大径顔接触部７ｃと小径顔接触部７ｄとからなり、実線姿勢から反転させた姿勢に切換え自在に挿入することができる。これにより発声トレーニング具１は、大径顔接触部７ｃと小径顔接触部７ｄとを、大人から子供等の顔の大きさに対応して、外皮部Ｃの適正接当位置に接触させることができる。
【００６１】
また発声トレーニング具１は図３（ｃ）に示すように、図３（ｂ）で示す顔接触部７を反転させた使用態様で、内側にした小径顔接触部７ｄと外側にした大径顔接触部７ｃとの間に、上下の奥歯を差し入れて噛むことができる構造にすることができる。この場合には、噛みトレーニングに併せて口内刺激トレーニングをすることができる。つまり小径顔接触部７ｄが歯茎の内側に接当すると共に、大径顔接触部７ｃが歯茎の外側と頬内面に接当することになるので、歯茎等の接当刺激を付与することができると共に、接当による発声トレーニング具１の位置決めを確実にして口前側への移動を抑制することができる。
【００６２】
さらに、この発声トレーニング具１は、長く形成した支持部材１８の外側端に枕部３を一体的に設けた状態で、該枕部３に噛厚調節部材１６を有する支持杆１７をスライド自在に軸支している。これにより長い支持部材１８は、枕部３と一体で内側に移動させせることができ、この支持部材１８を厚噛み部２ｃとして利用することができる。尚、顔接触部７はシリコーン系の柔かい素材によって形成することが望ましく、この場合には顔接触部７の一部を厚噛み部２ｃとして利用し、これを何度か軽く噛むことによって行うチューイングトレーニングをするように構成することができる。
【００６３】
また噛み本体２は図３（ａ）に２点鎖線で示すように、本体表面に左右の奥歯による噛み幅を有した位置に突起状の厚噛み部２ｃを一体的に突設してもよいものである。この場合には、噛み本体２の噛み部２ａを噛挟みする薄噛みトレーニング姿勢から、噛み本体２を左右方向に単に移動させるだけで上記左右の厚噛み部２ｃを噛挟みする厚噛みトレーニング姿勢にすることができるので、両トレーニングの繰返しを簡単に行うことができる。またストレートな噛み本体２に対し厚噛み部２ｃを突起状に設ける発声トレーニング具１は、構造をシンプルにして取扱い性及び製作を容易にすることができる。また肉薄な噛み部２ａと肉厚な厚噛み部２ｃを有する噛み本体２は、必要により本発明の各実施形態のものにも適応させることができる。尚、肉薄な噛み部２ａと肉厚な厚噛み部２ｃを凹凸状に形成してなる噛み本体２は、図示しないパイプ状の厚噛み部材を上記厚噛み部２ｃに左右移動自在に外嵌することにより、より厚い厚噛みトレーニングをすることができる。
【００６４】
次に、図４に示す本発明の第４実施形態に係る発声トレーニング具１について説明する。この発声トレーニング具１は、１つの枕部３に対し噛み本体２の着脱交換を容易にして広汎な使用を可能にし、且つ衛生的なトレーニングを利便性を有して行なうようにしている。即ち、図４（ａ）に示す発声トレーニング具１の枕部３は、把持し易いブロック形状となし、その一側面に噛み本体２の端部を係脱自在に挿入して保持する取付部（取付孔）２０を設けていると共に、枕部３の表面側にはキャラクタ等の模様並びに名前等を表示し易くする適宜形状の表示部３ｃを設けている。また取付部２０は、枕部３の一側を切欠することにより洗浄乾燥性に勝れたスリット２０ａを形成し、その中途に噛み本体端部の断面形状と同じ形状の挿入部２０ｂを形成し、該挿入部２０ｂに差し入れる噛み本体２を弾力的に挟持し且つ前後方向移動を規制して、着脱自在に安定よく支持するようにしている。
【００６５】
上記表示部３ｃに表記される模様等としては、子供たちに好まれる各種のキャラクタであることが望ましく、また枕部３の外形はキャラクタと同じ外形に形成することが望ましい。このように構成する発声トレーニング具１によれば、噛み本体２を例えば、アイスキャンデーや棒状菓子類に用いられる平板状或いは丸棒状の心棒を滑舌棒として利用できるデザインで製作し、且つこの噛み本体２に付設する意匠性を有する枕部３は、上記菓子類の景品として提供する等の販売企画を立案することもできる。従って、この場合には廃棄物となる菓子の心棒を無駄にすることなく滑舌棒としてストック再利用させ、例えば景品で得た１つの枕部３に対し、ストックした心棒を噛み本体２として取り替えながら、子供たちに安価で衛生的な発声トレーニングを楽しく普及することができる等の利点を創出する。一方、発声トレーニングをより楽しく飽きを来させない手段としては、枕部３を小判型やキャラクタ形状等のデザインにしたり、噛み本体２及び厚噛み部２ｃを金素材にしたり、金色や虹色にする等の装飾手段によってシンプルながら見栄のよい使用感や高級感を創出することが望ましい。
【００６６】
また噛み本体２は図４（ｂ）に示すように、平板状の心棒の前後側辺に内側より肉厚な噛み部２ｄ，２ｅを形成することにより、前述したように噛み本体２の前後側面（矢印方向）を銜えて厚噛みする厚噛みトレーニングを行い易くするようにしている。また図示するように噛み部２ｄ，２ｅは、一方のものと他方のものとの厚さを異ならせて形成することが望ましく、この場合には口の奥側に対し前後の向きを反転して銜えることにより、肉厚な噛み部２ｄを噛む厚噛みトレーニングと薄厚な噛み部２ｅを噛む薄噛みトレーニングを、１つの噛み本体２を単に反転させるだけで両トレーニングを簡単に行うことができる利点がある。尚、噛み本体２には図４（ｃ）に示すように、必要により厚噛み部２ｃを前記と同様な取付け手段によって移動自在に設けることができる。また噛み本体２には上下方向に貫通する取付孔２ｆを形成することにより、例えば左右の取付孔２を利用してチューインガムを担持させたり、中央の取付孔２ｆに飴類を担持させ易くすることができる利点がある。
【００６７】
次に、図４（ｄ）を参照し上記第４実施形態の別使用形態に係る発声トレーニング具１について説明する。この場合の発声トレーニング具１は、枕部３を把持し易い駒形形状にすると共に、その一側面に噛み本体２の一側を係脱自在に挿入して保持する形状の取付部２０を設けている。これにより１つの枕部３に対し、必要に応じて例えば２点鎖線で示すように、噛厚を異ならせたり、本体の弾性力或いは表面の弾力性を異ならせたり、或いは表面に所望の薬効剤や甘味剤等を塗布又はコーテングした各種の噛み本体２を、取付部２０を介して簡単に付け替えて使用するようにしている。
【００６８】
従って、この別使用形態による発声トレーニング具１によれば、トレーニング中に片側の枕部３と非噛み部２ｂの先端を床面Ａに接地させることができ、噛み部２ａの衛生は保持される。また枕部３から外した各種の噛み本体２は、数本のものを使用後に纏めて洗浄することができる。また１つの枕部３に対し、複数の噛み本体２をキット化させ易くできるので、一括して簡単コンパクトに纏めた包装を可能にすると共に、携帯等を行い易くすることができる等の特徴がある。
【００６９】
次に、図５に示す本発明の第５実施形態に係る発声トレーニング具１について説明する。この発声トレーニング具１は、噛み本体２に対し左右でそれぞれ対をなす、厚噛み部２ｃと顔接触部７と枕部３とを着脱及び左右移動自在に設けている。また顔接触部７は、小径の口内接触部７ｅを一体的に設けている。これにより図示例の発声トレーニング具１は、実線位置において奥歯で厚噛み部２ｃを噛挟みすることができると共に、隣接する顔接触部７を既述したように外皮部Ｃに接当させることができ、且つ口内接触部７ｅを唇奥側の口角部に内側から接触させることができる。
【００７０】
このとき口内接触部７ｅによって、口角部を内側から後方及び上方側等に押接付勢することができるため、口角を広げて上げる笑顔トレーニングを強制的且つ意識的に行うことができる。さらに、このとき口を開け閉めする動作を加えると、口筋を鍛えるトレーニングを効果的に併進することができる。また顔接触部７は前記したと同様に反転させて使用することができるので、顔接触部７を外皮部Ｃに接当させて使用することができるほか、該顔接触部７を口内に入れて口角部や頬を内側から接触させることにより、接触部を外側に向け押接して揉み解すように使用することができる。
【００７１】
そして、厚噛み部２ｃと顔接触部７とは、いずれも噛み本体２に移動自在に設けているので、使用者の口の大きさやトレーニング目的に適応したトレーニングを自由にすることができる。また枕部３は弾性力を有する合成樹脂製のリングにすることが望ましく、この場合には枕部３を噛み本体２から簡単に外すことができ、次いで顔接触部７及び厚噛み部２ｃも容易に外すことができるので、各部品の洗浄や異なる形状や大きさの部品との交換等のメンテナンス作業を行い易くすることができる。
【００７２】
従って、顔接触部７や厚噛み部２ｃの反転挿入使用や、顔の大きさ及びトレーニング目的に対応したものの使用を容易且つ自由にして所望のトレーニングを広範囲に行うことを可能にする等の特徴がある。尚、厚噛み部２ｃには、その外周に図示しない別の筒状補助噛み部をスライド自在に嵌挿させてもよく、この場合には厚噛み部２cの厚さを筒状補助噛み部によって厚くして使用することができる。
【００７３】
次に、図６に示す本発明の第６実施形態に係る発声トレーニング具１について説明する。この発声トレーニング具１は、噛み本体２を多角形状断面（図示例では６角形）の鼓型棒にすることにより、長さ中央に位置する括れ部（小径の非噛み部）２１の両側に小径（肉薄）の噛み部２ａから側方に向け順次大径（肉厚）になる斜面状の噛み部２ａからなる噛み面２２を形成し、且つ該噛み面２２から外側方に向けて水平状に連なる接地面３ａを形成している。即ち、この発声トレーニング具１は、６面体をなす鼓型棒の左右両側に枕部３を６面の接地面３ａによって構成し、これにより使用時の把持及び転動防止を簡潔な構成によって行うようにしている。
【００７４】
上記のように構成される発声トレーニング具１は１つの棒状の噛み本体２に、長さ中央の括れ部（小径の非噛み部）２１の両側に、対向する噛み面２２によって順次異なる噛厚からなる噛み部２ａを形成するので、例えば子供から大人の口に対応した適正噛み位置を２点鎖線で示すように自由に選択することができる。また鼓型棒状体の噛み本体２は、中央の括れ部２１を介して舌との接触を少なくするので舌運動をスムーズにすることができる。さらに、噛み本体２を多角形状断面にした発声トレーニング具１は、相対向する両噛み面２２の間隔を図６（ｂ）に２点鎖線で示すように変更して製作することが容易であり、噛み本体２に異なる噛厚の複数の噛み部２ａを広幅面によって一連に形成することができる。これにより発声トレーニング具１は、実線矢印方向から噛挟みする薄噛みトレーニングと、２点鎖線矢印方向から噛挟みする厚噛みトレーニングとを選択して行い易くすることができる等の特徴がある。
【００７５】
尚、発声トレーニング具１は、鼓型に限ることなく丸棒状体でもよく、その噛み本体２の軸中心に沿って中空孔２３を形成してもよいものである。図示例の発声トレーニング具１は、上記中空孔２３に対し括れ部２１に設けた呼吸孔２５を設けて連通させている。これにより呼吸孔２５には図２で記したようなビードや笛等の吹鳴構造２５ａを設けることができ、この場合には、息によって生ずる音声を聞きながらより楽しく各種のトレーニングを行うことを可能にする。また噛み本体２の両側に形成される中空孔２３は、その内部につる状又は紐状の装着部材１０を２点鎖線で示すように挿入することにより、簡単に取付けることができる等の利点もある。
【００７６】
次に、図７に示す本発明の第７実施形態に係る発声トレーニング具１について説明する。この発声トレーニング具１は、噛み本体２の中途に短縮手段２６を設けることにより、噛み本体２を使用長さから格納長さに短縮して、梱包及び携帯を行い易くしている。また枕部３を台所等で使用されるスプーンや掃除具等のツール２７となるように構成することにより、非トレーニング時において枕部３は、利便性のある台所用品としてツール２７の使用を可能にしている。図示例の発声トレーニング具１は噛み本体２及びツール２７を兼用する枕部３の全体を合成樹脂材で一体的に形成しており、実施形態では厚さ３ミリ程度にした噛み本体２の長さ中央部に前後方向の横溝２６ａからなる短縮手段２６を設けている。
【００７７】
これにより発声トレーニング具１は、横溝２６ａを介して折り畳むことにより長さを短縮して非使用時姿をコンパクトにすることができる。このときスプーン型のツール２７に掃除具型のツール２７を嵌め込んで収納可能な構成にすることが望ましく、この場合には折り畳み姿勢にした発声トレーニング具１は、長さを短縮すると共に厚さ小さくして非使用時姿をよりコンパクトにすることができる。従って、この発声トレーニング具１は実線で示す使用姿勢において、例えば台所で料理をしながらでも直近にある、ツール２７を枕部３にした噛み本体２を噛挟みして、発声トレーニング等を随時に行なうことを可能にする。尚、短縮手段２６は折り畳み構造に限ることなく噛み本体２の中途をスライドさせる伸縮構造等にすることができる。また枕部３はスプーン型等の他に、使用場所に対応した工具型等にすることができる。
【００７８】
次に図（ｃ）を参照し第７実施形態に係る別実施態様を示す発声トレーニング具１について説明する。この発声トレーニング具１は、噛み本体２の両端にツール２７となるボール状の枕部３を一体的に設けた小型シンプルな構造にすることにより、合成樹脂材によるプラスッチック成形を簡単安価に行なうと共に、携帯等の利便性を有して使用し易くしている。即ち、図（ｃ）に示す発声トレーニング具１は、一方の枕部３をサッカーボールを模した球形体にしていると共に、他方の枕部３を複数の小片３ｄと複数のスリット３ｅからなる花びら状の中空籠型状にしている。これにより発声トレーニング具１は、枕部３内に中空籠型の小片３ｄを押し開きながら、２点鎖線で示す同構造の別発声トレーニング具１の球形体状枕部３を差込むと、複数の発声トレーニング具１を簡単に連結することができるようにしている。
【００７９】
上記のように構成した発声トレーニング具１は、枕部３を利用してサッカーボール等の子供たちに好まれるキャラクタを簡単に構成することができると共に、このデザインによって発声トレーニング具１を大切に保管使用する心と、発声トレーニングの励行を喚起し習慣化させることができる。また棒状の噛み本体２の端部に設ける枕部３は、球形体或いは中空籠型の球形体のツール２７にしているため、非トレーニング時の発声トレーニング具１は、飲食時や料理等に物をかき混ぜるマドラーとしてデザイン性に勝れて他用途に有効利用することができ、且つこの利用時に発声トレーニングの励行を喚起して発声トレーニングの回数を自ずと増やすことができる。
【００８０】
従って、これらの特徴を有する発声トレーニング具１は、各種の販促グッズとして好適に対応させることができると共に、例えば、菓子類食品の心棒として一方の枕部３側に食品を担持させた状態で他方の枕部３側を持ち易い把持部として使用することができる。また心棒として使用後には、無駄に廃棄されることなく発声トレーニング具１として新たに活用することができる。さらに、一方の枕部３を他方の枕部３内に着脱自在に挿入できるようにした複数の発声トレーニング具１は、対をなして係合可能な両者の枕部３を介して２点鎖線で示すように順次鎖状に連結することができる。
【００８１】
これにより複数の発声トレーニング具１は、散乱することなく鎖索体として整理できるため、保管時の利便性と装飾的な保管性を備えながら使用することができると共に、一側端から発声トレーニング具１を順次外しながら複数回にわたる発声トレーニングを衛生的に連続して行うことができる。また上記のように販促グッズとして市場に大量に提供できる発声トレーニング具１は、子供達の興味を喚起しよい躾け並びに夢のあるトレーニングを意識させることができるので、発声トレーニング具１の利用文化を創成し易くすることができる等の特徴がある。尚、この場合の発声トレーニング具１は、その全長を略１００ミリ程度の短い長さにすると、手軽に使用することができる。
【００８２】
次に、図８に示す本発明の第８実施形態に係る発声トレーニング具１について説明する。この発声トレーニング具１は、噛み本体２の中央部（噛み部２ａの左右方向中間部位）に口内前方に向けて湾曲させた舌動部２８を設けることにより、トレーニング時に舌Ｄを自由に動かすことができる空間部２８ａを形成している。即ち、この噛み本体２は、左右の噛み部２ａを空間部２８ａを形成する湾曲形状の舌動部２８で連結した本体形状にしている。また図示例の噛み本体２は、軽量であること及び弾性力と剛性を備え且つ噛挟み時に口角部に痛み等の違和感を与えない好適部材として、直径３ミリ程度の針金或いは合成樹脂成形品等からなる線状部材によって構成している。この線状部材を弾性力及び可撓性を有する針金にするとき、噛み本体２は湾曲形状の舌動部２８を屈伸させることができるので、左右の噛み部２ａの間隔調節を自由に行うことができる。針金部分は必要箇所を塗料や被膜部材によって被覆することが望ましい。また被膜部材は市販されているストローにすることができる。
【００８３】
そして、図示例の発声トレーニング具１は、噛み本体２の両側から延長させた線状部材を弦巻状に屈曲させることにより、噛み部２ａを床面Ａに接地させることのない枕部３を一連に設け、且つ該枕部３を連結部１０ａとしてメガネと略同形状の耳掛け部を有するつる部１０ｂと一体的に形成した装着部材１０にしている。これにより発声トレーニング具１は、線状部材によって噛み本体２と枕部３と装着部材１０とを一連に備える発声トレーニング具１は、恰もメガネを掛けるときと同様の手軽さで顔に装着し、噛み本体２を銜えた状態で左右のつる部１０ｂをそれぞれ両耳に掛けて発声トレーニングを行うことができる。
【００８４】
またトレーニング時に使用者が噛み部２ａの噛挟みを緩くしても、噛み本体２は装着部材１０によって口前側への移動が規制されるため、顔の動きや口の動きに対して噛み部２ａの噛み位置及び口角部の接触位置を常に適正に保持することができる。また舌動部２８を有する発声トレーニング具１は、舌運動を左右の噛み部２ａ間で非噛み部の舌動部２８に支障されることなく、舌動用の空間部２８ａを利用して舌Ｄを上下左右に自由に動かすことができるので、下記のような舌運動トレーニングや発声をスムーズに行うことができる。
【００８５】
即ち、上記舌運動は医学的な知見から、舌先を上あごに吸い着けたのちに強く元に弾き返す舌の上下運動を随時数回行うトレーニングが推奨されている。この舌運動は舌筋や口筋を効果的に強化することができるため、睡眠中の口呼吸の防止や唾液枯渇防止等の健康促進効果並びにリップトレーニングや滑舌改善トレーニング効果の向上を図ることができる。また上記のような舌運動は、近年特に顕著と言われている口の筋力の低下に伴う、睡眠時無呼吸症候群やドライマウス症候群による睡眠障害や免疫力低下等の弊害を、簡単且つ効果的に改善予防するとされている。
【００８６】
以上のように構成して使用される発声トレーニング具１は、顔への装着をメガネを使用する感覚で簡単に行うことができ、また連結部１０ａや装着部材１０を適宜に屈伸変形させることができるので、多様に異なる顔に対しての適正な装着を容易にすることができる。そして、発声トレーニング具１を顔から外したとき、連結部１０ａが枕部３となって噛み部２ａを接地させることなく床面Ａに置くことができるので、衛生的な使用を可能にする。またメガネのつると略同形状の装着部材１０を枕部３から一体的に構成するため、１本の針金部材によって軽量簡便で使用し易い発声トレーニング具１を簡単安価に製造できる等の特徴がある。尚、上記実施形態の発声トレーニング具１は、図示例のデザインに限ることなく、メガネ分野で使用されるつる部の折畳み構造や意匠等を取り入れたデザインすることができる。
【００８７】
また上記発声トレーニング具１は、必要により噛み部２ａの外側寄りを２点鎖線で示すように後方に向けて内向きに屈曲させることができるので、口角部を上げるように押接する口角接触部２９を簡単に形成することができる。また厚噛みトレーニング行なう場合には、同図に２点鎖線で示すような前記したものと同様のスリット付のパイプからなる厚噛み部２ｃを取付けるか、又は予めパイプ状の厚噛み部２ｃを挿入しておくことによって簡単に行うことができる。また図示例の舌動部２８は、前歯の内側に位置させる形状と大きさにしているが、２点鎖線で示すように口から突出させる形状にしてもよく、この場合には突出させた舌動部２８を前記した唇挟み部材１１として利用することができる。
【００８８】
さらに、上記左右の装着部材１０に、枕部３を有する噛み本体２を着脱交換自在に設ける場合には、左右のつる部１０ｂを延長させ両者の先端を２点鎖線で示すように連結部１０ｃによって連結したメガネ状フレームを構成すると、この左右のつる部１０ｂの中途に、噛み本体２の両側に形成した枕部３側を着脱自在に取付けることによって行うことができる。これにより発声トレーニング具１は、平面視でコ字状に形成された剛性の高いメガネ状フレームの装着部材１０に対し、左右の枕部３側を上方から係合させる等の簡単な取付け手段によって、噛み本体２の着脱交換作業を速やかに行なうことができ、複数の噛み本体２を使用したトレーニングを衛生的に行いながら継続し易くすることができる。
【００８９】
尚、図示例の発声トレーニング具１は、針金を曲げるだけで簡単且つ安価に製作することができるので、例えば小学校の工作教材としても使用し易く、この場合にはその計画立案や設計方法及び加工技術並びにデザイン感性等の習得向上に繋ぐことを容易にすることができる。さらに、前記実施形態の発声トレーニング具１は、いずれも子供達が好みのものを簡単に製作することができると共に、勉強時はもとより例えば入浴時でも手軽に使用することができる。
【００９０】
従って、自身が製作した発声トレーニング具１によって、本発明に係る分野のトレーニングへの関心や習慣を若年時から身に着けて健康健全を志向した生活を行い易くすることができる。即ち、上記のような発声トレーニング具１の製作と使用を通して、ものづくり能力の向上及び正しい発声や言葉マナー等のコミュニケーション分野、滑舌筋や口筋等の強化、呼吸法の習得活用等の活性を図ることができるので、学生時代から人間力とビジネス能力の向上を志向した人材育成に繋ぐことができる等の特徴がある。
【００９１】
次に上記のように構成される発声トレーニング具１に、各種の補助機器５を付加して行う手段と使用例について説明する。この発声トレーニング具１は、装着部材１０を利用して耳前方のこめかみ部や頬局部を押圧するツボ接当部材３０や、補助機器５の別実施例として示す生体マイナスイオン発生器（治療器）３１の導子部３２を、発声トレーニング具１の構造を利用して簡単に設けることができる。
【００９２】
即ち、上記ツボ接当部材３０は、つる状の装着部材１０に取付け自在な取付け部３０ａと、該取付け部３０ａの先端部に内向きに突設されるツボ接当部（指圧突起）３０ｂとからなり、発声トレーニング具１を顔に装着したとき、ツボ接当部３０ｂがこめかみ等の所要箇所に接当して指圧作用を行なう。また前記導子部３２はクリップ構造によって装着部材１０に着脱自在に取付けるものが好ましく、この場合には装着部材１０の通電性により生体マイナスイオン発生器３１から発生供給されるマイナス電子を顔の外皮から身体に簡単に送ることができるので、使用者の生体マイナスイオンを高めて健康改善や保持等を行い易くすることができる。
【００９３】  また導子部３２は、装着部材１０のほかに噛み部２ａ，２ｃ或いは顔接触部７を通電部材にするか又は噛み部２ａ，２ｃを利用して着脱自在に設けた構造にすることができる。尚参考までに、上記生体マイナスイオン発生器３１（以下単に治療器と言う）は、「（公序良俗違反につき、不掲載）」として学術的に効果検証がなされて周知の「生体マイナスイオン発生治療器」であることが望ましい。この治療器３１の出力導子はステンレス製の導子（金属板）であることが好ましく、この導子を手で把持して使用することにより、身体エネルギーが生体マイナスイオン主体になることから、糖尿病や歯周病ほか多くの病気改善並びに疲れ難い体への体質改善を効果的に促進するとされている。
【００９４】
従って、上記治療器３１の導子部３２を身体接触可能に設けるようにした本発明の発声トレーニング具１では、在来の治療器３１のように導子部３２を手で直接的に把持する必要がないため、手作業を要する勉強やパソコン使用並びに各種の作業に対し、手を塞いで支障を生ずるといった欠点を解消することができる。即ち、導子部３２を備える発声トレーニング具１は、治療器３１が目的とする治療内容を、発声トレーニングや笑顔トレーニング等に併せて同時に行うことができるため、治療及びトレーニング時間の効率化や、治療並びにトレーニング効果を相乗的に高めながら飽きの来ない使用を継続し易くすることができる等の特徴がある。
【００９５】
また前記した補助機器５或いは治療器３１を設けて使用するようにした本発明の発声トレーニング具１は、トレーニング時に人が発する声や顔筋或いは血流等のデータを、例えば、各対応する適宜な検査装置によって検出しパソコン等を用いてモニタしたりパターン学習をすることにより、よりよいトレーニングの発想や改善を行い易くすることができ、また医療や治療の分野等への新たな利用も同時に創出することができる。さらに、音声ガイドや録音等の補助機器５を併用して発声トレーニングを行うとき、各種単語やフレーズ或いはオノマトペ等の発声特性の把握や、そのデータの改善を容易にすることができると共に、これら学術分野の新規な開発と展開を図ることを容易にする等の特徴がある。
【００９６】
次に、図９に示す本発明の第９実施形態に係る発声トレーニング具１について説明する。尚、前記した第８実施形態のものと同様な構成及び作用については、同一符号を付して説明を省略する。この発声トレーニング具１は、噛み本体２を装着部材１０に対し着脱自在に設けている。図示例の発声トレーニング具１は、前記第８実施形態のものと同様な噛み部２ａと舌動部２８を有する噛み本体２に対し、厚噛み部２ｃを左右の非噛み部２ｂ側から着脱自在に挿入して取付けている。尚、噛み本体２は、必要により前記した各種別実施形態のものを選択し取付けてもよいものである。
【００９７】
上記装着部材１０は、頭部に装着自在な平面視略Ｕ字形状の合成樹脂製バンドにしていると共に、左右のつる部の先端に噛み本体２の両端を着脱自在に取付けるように、可撓性と弾性力を有して拡開自在なスリット形状の孔等からなる取付部３５を設けている。また装着部材１０は頭部上方に嵌めた装着状態で、つる部の中途に補助機器５を装着する補助装着部材（上連結部）３６を設けている。この補助装着部材３６は、正面視下向きＵ字状に形成した合成樹脂製バンドにしており、その両側の脚部を装着部材１０の左右のつる部に位置決め調節及び着脱自在に連結し、且つ部材中途部に取付ベース３６ａを設けて前記補助機器５等を取付け自在にしている。また装着部材１０の取付部３５には、上記噛み本体２を取付けることができるほか、前記図５で示すような顔接触部７を着脱自在に取付けることができる。
【００９８】
即ち、図示例の発声トレーニング具１は、予め左右の取付部３５に取付けた顔接触部７に、噛み本体２を着脱自在に取付けている。顔接触部７は、唇奥側の口角部に内側から接触させる口内接触部７ｅと、前記取付部３５に挿入自在に取付けられる被取付部７ｆとを一体的に形成し、該被取付部７ｆの本体中心部に噛み本体２を側方から挿入自在な取付孔７ｇを穿設している。これにより装着部材１０は、取付部３５に被取付部７ｆを挿入して取付けた左右の顔接触部７に対し、両者の取付孔７ｇに噛み本体２を挿入して安定よく取付支持することができるようにしている。
【００９９】
従って、この発声トレーニング具１は、装着部材１０の頭部への装着を介し噛み本体２の前側移動を規制しながら発声トレーニング等を行うことができると共に、顔接触部７或いは口内接触部７ｅを接当させて行う笑顔トレーニングも簡単に併行することができる。さらに、発声トレーニング具１は、噛み本体２を外した図示する状態において、装着部材１０を装着した状態で口内接触部７ｅを口角部を内側から耳方向に引き上げるように接触させることもできるので、この状態での発声トレーニングや上記笑顔トレーニング等も行い易くすることができる。このとき左右の顔接触部７は、バンド状の装着部材１０と補助装着部材３６とによって左右外方側への移動が規制されるため、トレーニングをスムーズに行うことができる等の特徴がある。
【０１００】
また装着部材１０には、前記第８実施形態のものと同様な各種の補助機器５や治療器３１を各適応する取付手段によって設けることができる。これにより本実施形態の発声トレーニング具１も、前記第８実施形態のものと同様な補助機器５等を利用した使用を容易にすることができる。この場合に治療器３１の導子部３２は、噛み本体２の端部に２点鎖線で示すように着脱自在に取付けることが望ましい。また補助装着部材３６は、頭上に形成した取付ベース３６ａに、補助機器５等を簡単に取付けることができ、補助機器５の携帯移動を行い易くすることができる。
【０１０１】
さらに図示例の装着部材１０は、両側のつる部や下向きＵ字状の補助装着部材３６に対し、例えば、顔の正面側から額、目回り、鼻回り、口回り等に存在しているツボ（指圧点の外皮部）を押圧して指圧作用を行う指圧突起３７を、所定箇所に設けることにより顔指圧器具を簡単に構成するようにしている。これにより発声トレーニング具１は、噛み本体２と指圧器具にした装着部材１０によって発声トレーニングとツボ指圧を同時に行ない、また噛み本体２を外した装着部材１０を単体の顔指圧器具として所定のツボ指圧を行なうことを可能にしている。尚、このとき装着部材１０から外した噛み本体２は、厚噛み部２ｃの外側で最大径になる部分が枕部３になるため、床面Ａに衛生的に置くことができる。
【０１０２】
即ち、実施形態の顔指圧器具は、額部分で左右の眉毛上方部と目の上方部とのツボに各接当させる複数の指圧突起３７を有する上指圧具３８と、左右の目の下方部と鼻の両側と口の上方部とのツボに各接当させる複数の指圧突起３７を有する下指圧具３９とからなる。そして、上指圧ベース３８ａと下指圧ベース３９ａとは、それぞれベルト状の取付部材４０によって装着部材１０或いは補助装着部材３６に対し取付け位置調節及び着脱自在に取付けるようにしている。尚、各対応する部材の取付手段は、面ファスナ等を用いることによって簡単に構成することができる。また各指圧突起３７は、上指圧ベース３８ａと下指圧ベース３９ａに対し、着脱自在に取付けると共に、左右及び上下方向に移動調節自在な取付手段によって取付けるようにしている。
【０１０３】
これにより上記各指圧突起３７は、顔の大きさや指圧所望箇所に応じた位置決めを確実且つ容易にすることができるため、１つの顔指圧器具によって適正に指圧することができる。また下指圧ベース３９ａは、その中央部に鼻孔を塞ぐことなく鼻の先端を挿入させる鼻挿入孔４１を設けている。これにより装着部材１０及び補助装着部材３６を介して顔指圧器具を顔に装着したとき、上指圧ベース３８ａと下指圧ベース３９ａとを目の上下に安定よく位置決めし、各指圧突起３７を対応する各ツボに適正に接当させることができる。このとき鼻の先端は下指圧ベース３９ａの鼻挿入孔４１から突出する。尚、指圧突起３７は、必要により摺動手段によって振動させたり、加熱手段によって加熱させてもよく、また前記治療器３１の導子として利用してもよいものである。また指圧突起３７は、顔を膜部材からなるパックによって覆った状態でも適正に指圧をすることができる。
【０１０４】
次に、図１０に示す本発明の第１０実施形態に係る発声トレーニング具１について説明する。尚、前記した第８,９実施形態のものと同様な構成及び作用については、同一符号を付して説明を省略する。この発声トレーニング具１は、パイプ材によって形成した噛み本体２を、針金等の線条部材によって形成した装着部材１０に対し着脱自在に取付けるようにしている。図示例の発声トレーニング具１は、前記第９実施形態のものと同様な噛み部２ａと舌動部２８を有する噛み本体２に対し、顔接触部７を兼用するように形成した枕部３を設けた厚噛み部２ｃを、左右の非噛み部２ｂ側から着脱自在に挿入して取付けている。
【０１０５】
上記装着部材１０は、左右のつる部１０ｂの先端を内向きに屈曲させて取付部（口角接触部）１０ｄを設けていると共に、各つる部１０ｂの後部に耳掛け部１０ｅを下向きに湾曲させて形成し、該耳掛け部１０ｅの下部を上向きに折返した屈曲部１０ｆを設け、且つ左右の屈曲部１０ｆを下向き湾曲状に形成する上連結部１０ｇによって一体的に連結した構成にしている。この構成により装着部材１０は、上部連結部１０ｇを上方から頭部に嵌める動作によって、左右の耳掛け部１０ｅを左右の耳に掛けることができ、この状態で前記左右の取付部１０ｄが口角接触部となり唇奥側で銜えながら口角部内に挿入位置させることができる。
【０１０６】
これにより装着部材１０は、左右の耳掛け部１０ｅとつる部１０ｂを介し両者の弾性力によって、取付部１０ｄが口角接触部となり左右の口角を耳方向上方に向けて軽く引き上げるように接触させることができ、両口角を上方に付勢した笑顔状の口元にすることができる。尚、図示するように装着部材１０の取付部１０ｄには、口角に所定の形状と大きさでソフトに接触する、例えばシリコーン系素材で形成される口角接触具４３を着脱自在に挿入して取付けると、口角部内に口角接触具４３を挿入して接触させることができる。さらに、この口角接触具４３は必要により、内側に向けて長く形成することにより厚噛み部２ｃとして簡単に使用することができる。一方、装着部材１０に対する噛み本体２の取付けは、口角接触具４３を取外した左右の取付部１０ｄに対し、噛み本体２の両端に形成されるパイプ孔４５を挿入することによって簡単に行うことができる。
【０１０７】
従って、噛み本体２を装着しないときの装着部材１０は、笑顔トレーニング具として利便性を有して活用することができる。また線状部材からなる装着部材１０は、左右のつる部１０ｂと耳掛け部１０ｅと上連結部１０ｇ並びに取付部１０ｄを一体構造にしているため、針金等の線条部材によって簡単安価に製作することができると共に、屈曲部１０ｆの湾曲並びにつる部１０ｂの湾曲形状を弾性力に抗して曲げ伸ばしすることができので、顔の大きさに対し各部の調整を容易に行うことができる等の特徴がある。また装着部材１０は、上連結部１０ｇを耳掛け部１０ｅから上方に起立させて後頭部を開放しているので、椅子に頭を当てたり寝ながら行なうトレーニングを装着部材１０に邪魔されることなくスムーズにすることができる。また装着部材１０は非使用時に、上連結部１０ｇを壁面等に簡単に引っ掛けることができるため格納を行い易くする利点もある。
【０１０８】
尚、左右のつる部１０ｂは、必要により左右の取付部１０ｄ側の位置決めをする連結部１０ｃによって連結することができる。この場合に連結部１０ｃは２点鎖線で示すように、左右のつる部１０ｂの取付部１０ｄ側を下方から連結すると、装着部材１０の使用時に連結部１０ｃを顎の下方又は前方に位置させることができるため、視界外におくことができる。またこの場合には、左右のつる部１０ｂを前方側で連結部１０ｃによって一体化させるので、上連結部１０ｇを省略したシンプルな構造にすることができると共に、装着部材１０を床面Ａに置くとき、連結部１０ｃを口角接触具４３の枕部にすることができ衛生的に使用することができる等の利点がある。
【０１０９】
次に、図１１を参照し本発明の第１１実施形態に係る発声トレーニング具１の別実施形態について説明する。尚、前記した各実施形態及び第１０実施形態のものと同様な構成及び作用については説明を省略する。この発声トレーニング具１は、第１０実施形態のものと同様に噛み本体２を、左右の噛み部２ａとその間の舌動部２８を線条部材によって構成し、且つ装着部材１０をメガネと同様な板状断面のつる部１０ｂと、左右のつる部１０ｂの前部を連結する連結部１０ｃ或いは噛み本体２を連結部材としたフレーム構造によって構成している。そして、発声トレーニング具１の装着部材１０は、つる部１０ｂの前端に構成される蝶番等の折畳部４７を介し、枕部３を兼用することができる連結部（フレーム）１０ａを設け、該連結部１０ａに噛み本体２と口角接触具４３とを取付ける装着手段８を設けることにより、噛み本体２と口角接触具４３とを着脱自在に装着するようにしている。
【０１１０】
即ち、装着部材１０の装着手段８は図１１（ｂ）に示すように、連結部１０ａに穿設される取付孔４８に、口角接触具４３に突設したネジ軸４９を挿脱自在に挿入すると共に、取付孔４８から突出させるネジ軸４９のネジ部に連結部１０ｃの両端に形成される取付座５０を挿入した状態で、ネジ端にナット５１を螺挿締着することにより、口角接触具４３と連結部１０ｃ等を着脱自在に取付けるようにしている。図示例の口角接触具４３は、その本体中心に内端側から噛み本体２の端部を挿脱自在に挿入する所定深さの装着孔４３ａを形成し、且つ本体外周端に口奥側に向けて突出する突起４３ｂを設けている。この突起４３は、トレーニング時に口角の内側に接触して口角接触具４３の滑り外れを防止する。
【０１１１】
以上のように構成される図１１（ａ）の装着部材１０は、左右のつる部１０ｂによって頭部に挟持状態で装着したとき、左右の口角接触具４３を口角部内に差し入れ状態で姿勢保持し、前記第１０実施形態のものと同様に笑顔トレーニングを行うことができる。また発声トレーニングをする場合は、左右の口角接触具４３の各装着孔４３ａに対し噛み本体２の両端を挿入するだけで、噛み本体２の装着を簡単に行うことができる。従って、この実施形態によれば、口角接触具４３を使用した笑顔トレーニングと噛み本体２を使用した発声トレーニングとを装着部材１０を利用して効果的に行うことができる。
【０１１２】
尚、装着部材１０に噛み本体２のみを取付けたい場合には、ナット５１を緩めて口角接触具４３を連結部１０ｃから外したのち、その取付孔４８を利用して噛み本体２を簡単に装着することができる。このとき噛み本体２は左右のつる部１０ｂを一体的に連結する連結部材になるため、装着部材１０を弾性力及び耐久性を備えるフレーム構造にすることができる。また装着部材１０は、メガネで使用され信頼性及びデザイン性に勝れるつる部１０ｂ及び折畳部４７等をそのまま採用することができると共に、連結部１０ａを特定構造にするだけで、噛み本体２並びに口角接触具４３を装着することができる装着部材１０を簡単安価に製造することができる。また噛み本体２には、所定長さに切断した市販ストローを着脱自在に嵌挿して使用することができる。
【０１１３】
また左右のつる部１０ｂは、左右の連結部１０ａを噛み本体２又は連結部１０ｃによって口角接触間隔を有して連結した状態でメガネと同様に折り畳むことができるので、コンパクトな折り畳み姿で携帯及び梱包時の利便性を有する。また噛み本体２及び口角接触具４３を床面Ａから離間させる枕部３は、連結部１０ａの形状と大きさによって簡単に形成することができる等の特徴がある。尚、装着手段８は図示例の構成に限ることなく、噛み本体２はその両端を、口角接触具４３を取外した連結部１０ａにネジ止め或いは係合等の任意手段によって装着してもよいものである。またつる部１０ｂは、例えばスピードスケート選手用サングラスのようなスポーティデザインにすることが好ましいものである。また上記各実施形態の発声トレーニング具１及び各構成部品は、近年開発された例えば、木竹材に特殊樹脂を含浸させてメノウやヒスイ状感覚製品にすることができるニュータイプ木質形成体によっても簡単に製作できるため、これら新規素材の用途開発に好適化することができる。
【０１１４】
次に、以上のように構成される発声トレーニング具（噛挟み具）１の使用態様並びに補助機器５の利用態様等の展開例について説明する。先ず、補助機器５を設ける場合の発声トレーニング具１は、前記使用態様のほか例えば、口内の口臭や細菌の抑制或いは口内の炎症や歯科医療時のケア等の手当や改善に好適な光学療法、或いは薬剤や甘味剤等を効果的に少量づつ摂取させる療法のほか各種医療分野にも利用することができる。具体例としては、花粉症対策用の薬液を容器から舌下に入れる在来の「舌下免疫療法」に対し、当該薬を適宜の担持手段によって噛み本体２に保持させ、噛挟みするとき舌下に薬効を滞留させる療法を可能にすることができる。この場合には噛挟み姿勢の噛み本体２の上に舌を載せることが望ましい。また薬剤等は図示しない供給機器を介して噛み本体２を介して、喉の奥部に噴霧又は滴下状に供給するように設けることもできる。尚、上記のように分野での使用を専らにする場合には、各図示例の発声トレーニング具１の噛挟み具に限定することなく、例えば枕部３を省略した医療に好適なデザインの噛挟み具にしてもよいものである。
【０１１５】
また枕部３を備えて衛生的に使用できる発声トレーニング具１は、トレーニング目的に対応して使用し易い噛み本体２を選択することができるため、例えば使用目的に対応した品揃え（シリーズ化）と応用開発及びそのトレーニング方法の開発を図ることができると共に、各種トレーニング効果の検証と展開を通し発声と運動の連動方法を弁え構築して、認知力活性等の新規な滑舌棒（噛挟み具）利用文化の創成と展開を図ることができる。従って、小学生から中学生向けの工作教材として、また高校生から大学生用の研究テーマとして好適化させることができる。また各種学習塾等で滑舌棒を利用した発声や外語習得等の特別付加価値授業を行うこともできるので、滑舌棒利用文化の裾野展開と普及を容易化することができる等の利点も創出する。
【０１１６】
さらに、トレーニング時の言葉やフレーズは、汎用されている在来のもののほか、音読み発声に勝れその語彙が潜在意識に入り易くよい記憶を形成するようなキーワードであることが好ましく、例えば、「明強優美，満快楽気、柔和良華工利，勇遊勉，感創学、仁義智、」等の新規キーワードや語録の展開を各分野毎に体系化を図ることにより、発声トレーニングを創造性やビジネスに必要とされるスキルを高めるトレーニングの効果をより促進することができる。また上記のようなスキルアップトレーニングの促進は、パソコンを利用したトレーニング補助とトレーニング手法の構築によって、滑舌棒利用文化の創成展開を早期に実現することができる等の特徴もある。
【符号の説明】
【０１１７】
１  発声トレーニング具（噛挟み具）
２  噛み本体
２ａ  噛み部２ａ
２ｂ  非噛み部
２ｃ  厚噛み部
３  枕部
５  補助機器
７  顔接触部
１０  装着部材
１０ｂ  つる部
１０ｃ  連結部
１０ｄ  取付部（口角接触部）
１０ｅ  耳掛け部
１０ｇ  上連結部
１２  接地部
２７  ツール
２８  舌動部
２８ａ  空間部
４３  口角接触具
Ａ  床面
Ｃ  外皮部
Ｄ  舌
【図１】
2015166803.tif 000003
【図２】
2015166803.tif 000004
【図３】
2015166803.tif 000005
【図４】
2015166803.tif 000006
【図５】
2015166803.tif 000007
【図６】
2015166803.tif 000008
【図７】
2015166803.tif 000009
【図８】
2015166803.tif 000010
【図９】
2015166803.tif 000011
【図１０】
2015166803.tif 000012
【図１１】
2015166803.tif 000013